(57)【要約】      （修正有）【課題】テレビやビデオなどの家電機器の待機電力の停止を計り、かつ地震による漏電火災を防止する。【解決手段】電源遮断マイクロスイッチとこのマイクロスイッチを制御するコントローラを内蔵する本体を、密閉構造に構成する。この本体は、電源コンセントと家電機器の間に接続される。本体のコントローラには、家電機器のリモコンが設置ポケットから抜かれたのを遠隔検知するセンサと地震検知管などが内蔵される。このコントローラは、リモコンが設置ポケットから抜かれた時には電源遮断マイクロスイッチをオンにし、地震を検知した時には電源遮断マイクロスイッチをオフにする。【選択図】図２
2005122672.tif 000002
【特許請求の範囲】
【請求項１】
本発明の機能システムをテレビ、又は家電機器及び壁設置コンセット内蔵、外部セット型に設置する方法又は、付属周辺機器として設置し無断、販売する行為、を含む総て。（以下各項目は、多機能制御システムを示す。）
【請求項２】
マイクロスイッチを磁力線感応スィッチ、赤外線感応スィッチ荷重板スプリングスィッチ機構等総てのマイクロスィッチ及び本発明をシ−ケンス回路又は、タイマ−に置き換える行為及び０１コンピュ−タに置き換える行為を含む総て。
【請求項３】
「１・２・３・４の」４区分別カ−ド機能図面参照。区分制御を素子回路（電子回路）に置き換える事を含む。
【請求項４】
カ−ドは、紛失誤挿入によるミス作動防止の為、糸で結束、吊して挿入場所を確保している。
【請求項５】
カ−ドは、兎色柄に合わせる方法を採用している、誤セット防止機能。
【請求項６】
「イ」挿入口赤兎１カ−ドはテレビ作動又は録画切り替え  及びチャンネル操作リモコン設置ポケットより成る。
【請求項７】
「ロ」挿入口緑兎２カ−ドは、地震検知連動の警報制御。
【請求項８】
「ハ」挿入口黄兎３カ−ドは、地震検知管受信直結カ−ド密着固定永久磁石極と地震検知管接続コイル誘電磁力線は、反極性磁力により、カ−ド磁力密着は、離脱落下により制御する方法。各種機器電源解除。
【請求項９】
「ニ」挿入口青兎４カ−ドは、直下型地震の警報退避勧告警報ベルを制御する。カ−ドは、押すか引いてセット。
【請求項１０】
電源遮断ブレ−カ−作動退避勧告をベル警報内蔵。
【請求項１１】
「請求項６から請求項１０」迄は別々に製造可能構造。
【発明の詳細な説明】
【発明の詳細な説明】
【０００１】本発明は、本体には１５Ａ２５０ＶＡ通電可能な二口コンセットに作動警報にブザ−及びベルを装備されており、各所定の位置は、色と柄絵カ−ドは、挿入口に糸で制御されておりカ−ドは、４区分作動設定された、所定のカ−ド制御挿入箇所に、柄分類「１赤兎」テ  ビチャンネル操作リモコン使用可能は、カ−ドを引く  テレビ電源がＯＮモ−ドとなり押し込むと、録画可能モ−ドとなる従て、リモコンを壁掛ポケットから手に持った、時点でテレビ電源はＯＮとなる分類「２緑兎」地震検知器連動ブザ−御カ−ド押す込むとブザ−は、停止する。分類「３黄兎」地震検知器「操作」カ−ド、を押し込むと、地震検知モ−ドとなる、地震検は、密着される地震検知管からの、地震信号により磁気発生知信号電流で、密着永久磁気ＳＮに対し、発生磁気ＮＳ極性を設計設置磁気反発でセットされた、マイクロスィッチでＯＦＦで遮断。気信号、反発した「作動構造」カ−ドは、棒作動型スプリング性可動部でマイクロスィッチＯＦＦで各種機器石油ファンヒ−タ−電気機器、コタツ、電源遮断される分類「４青兎」はカ−ドは警報退避勧告ベルの停止は、カ−ド押して解除する、色柄合わせは子供が間違い無く操作出来る様に、絵柄で、この世界に無い色柄で空想色とした。密着は解除されカ−ドは、落下通電遮断は検知直下で、瞬時にＯＦＦとなり、稼働する機器の電源は、遮断され稼働する機器は、カ−ド落下と同時に作動停止、ベルが作動し直下地震の発生を示すブザ−警告をはっする。
「カ−ド密着、作動、構造」
カ−ド先端永久磁石、本体に微小電流感応コイルがセットされて磁力方向  に反発する様設計されているので上部に磁力で密着すする。
従って通電されると反発し密着は解除され落下し電源遮断マイクロスィッチ、ア−ムを蹴り作動電源は、遮断する。壁掛に常備されたチャンネル操作リモコンをテレビ観賞の為、手に持った時電源がＯＮとなりテレビに通電されリモコン使用可能状態になるので待機電力を用いた時と、さほど観賞出来るまでの時間に支障は感じられないは、リモコンをテレビ観賞終了後壁掛に戻されるとテレビ電源は、ＯＦＦとなる、同時にベルが、地震を表示する。
【本発明の目的】
【０００２】本発明の目的は、家庭電気製品で待機電力の必要の無い機器はどちらの家庭にも結構あるものです、例えばテレビは２台、３台営業で使用しているホテル、ロッジ、一般家庭等に設備される機器は年を追う毎に大型化されその消費電力も２３０ｗＨ３２型を越えることも目新しくない待機電力も大きく使用機器の消費電力の０．８５％ビディオの消費電力下記の通り。
「年間の節約消費電力」              １４，０ＫＷＨ
１６×２４×３６５＝１４０．１６０÷１０００＝１４．０
１台のビディオの待機消費電力である。従って東京電力管内契約数２３５０口東京電力デ−タ、大型マンションも１契約で正確なビディオ所有台数の統計は、無いため、想定計算の域は排除出来ないが、ＮＨＫ放送協会調査による、テレビ、視聴者契約数３８１２万件で平成１５年６月現在でこの内３％がビィディオ所有者としこの内２％が常時セット、としテレビは、大型小型を含め平均の待機電力を０．５ＷＨとしごく、内輪の推定計算但し１契約１台とすると３８１２００００×０．５÷１０００＝１９０６０ＫＷＨの電力消費となる。機種別に全計算を正確に行なえるデ−タが日本に有れば良いが生産台数は有るが、その内、国内消費台数と輸出とが合計で経済企画庁総理府統計局消費者団体の総てに存在しなかった。しかし現有する、統計の内２１型テレビ、が６３８万台と一番多く市場に売れているので下記に記載する。
待機電力を以下表示する。
【表１】
2005122672.tif 000003
通算平均出荷台数は、２１型が１番多６００〜７００万台位で待機電力は、平均で０．５ＷＨとして計算した。
【表２】
2005122672.tif 000004
【技術分野】
【０００３】待機電力防止及び暖房機器地震検知機器別壁コンセット二次ブレ−カ直下型巨大地震による機器、器具圧壊による燃料流出電源回復による漏電事故防止機器は、２次コンセット電源遮断ブレ−カ−はなかった振動検知、多機能自動作動スィッチ。
【背景技術】
【０００４】簡易機構で待機電力を制御し更に同時に３種類の機器を制御警報非常灯の点灯制御機器に地震検知駆動装置により、石油コンロ、コタツ電熱温風機等。本発明の機器制御は、従来無かった従来は手で、差し込み、スィッチ付きリ−ドコンセットを用いて、制御する方法を用いていた。
【発明が解決しょうとする課題】
【０００５】必要としない電気制御を安価に簡単な設計で待機電力の停止を計り、その設備構造の設定制御にカ−ド設定方式とガラス管内蔵の振動検知管センサ−を組合せ電気機器を地震と同時に通電遮断し、地震発生後に発生する漏電火災の二次災害を防除を課題とした。
【課題を解決するための手段】
【０００６】簡易構造を得る為に、マイクロスィッチを用いた機構で警報又は、作動設定確認は、微小電流による地震検知管構造は、内部が酸化皮膜の出来にくい密閉型
【図１】
参考振動検知はは極薄板状振動板二枚と。メッキ鋼球が棒バネで片持電極に近接して設置され揺れを感じると鋼球が左右に動き、振動板に接触し、微小電流はコイルに流れる微小電流で発生した磁力を制御板にセットされた永久磁石の極が反転極にセットされているので微小電圧微小電流で発生する磁力は、微小であるが永久磁石の密着に対し反磁力として得られる磁力は、作動に十分でこの振動検知を本発明の電源遮断に応用し電気遮断し解決手段とした、本発明の振動検知管は、取り付け方向水平、垂直で検知能力を得る事を仕様を替えず用いることが可能で保守点検が簡単で故障が少ない。
【発明り形態】
【０００７】地震検知管及びテレビリモコン設置機器より遠隔に機器電源コンセットを本発明の機器に接続この機器内部で本提案の制御カ−ドで作動条件をコントロ−ルマイクロ、スィッチを用いて行なう、地震検知管の中に前記
【０００６】で説明の検知管を電源遮断に組合せ多機能構造となっているいる。
【実施例】
【０００８】一回セットすれば、待機電力は、倹約することが可能で巨大地震で暖房機器器具の電源は、コンセット、で遮断出来る構造のコンセッを各家庭での仕様可能となり家屋設計の電気部品と成った。全家庭コンセットに被せ（かぶせる）コンセットを用いるため電気工事は不要で、単品の製造可能であるため、地震検知管は、ガラス管ヒュ−ズ型で保守点検
【発明の効果】
【０００９】本発明の壁掛型待機電力坊除及び多機能カ−ドシステムを、全世界規模で実施可能でありその相乗効果は、多大で、期待出来る。
【図面の簡単な説明】
【００１０】
【図１】平面部分断面図
【図２】側面一部断面図  簡易振動検知機能を配し震度４で作動するようセットされている磁力反発型を図示した。
【符合の説明】
【００１１】  イ、テレビリモコン。
ロ、テレビリモコン収納ほ・ケット。
ハ、地震センサ、連動警報マイクロ、スィッチ。
ニ、地震センサ。
ホ、電気器具電源遮断マイクロ、スィッチ１００ＶＡ１０Ａ。
ヘ、テレビ電源。
ト、警報ブザ＝。
チ、電池ボックス１．５Ｖ×３＝６．０Ｖ。
リ、機器設置取り付け板。
ヌ、スホ・ンジ、ゴムクッション。
ル、ゴムクッション。
オ、横揺センサ−。
ワ、センサ−内蔵ガラス管。
カ、上下動センサ−。
ヨ、作動板
タ、振動皮膜接点電極、及び振動検知鋼玉接点電極揺動リレ−接点を示す。
レ、駆動制御板機構取り付け固定台。
ソ、地震センサ感知磁力線反転、反転機構永久磁石設定板。
ツ、コタツ、石抽スト−ブ通電遮断マイクロ、スィッチ、作動板落。
１、コタツ、石柚スト−ブ通電遮断マイクロ、スィッチ作動ア−ム。
２、前記マイクロ、スィッチ作動ア−ム。
３、地震警報発令マイクロ、スィッチ。
４、地震警報連動制御マイクロスィッチ。
５、コンセット。
６、設置差し込み。
７、彼伏せ螺子止め固定螺子。
８、照明電球単三電池三個照明可能時間１９時間。
９、電池ソケト。
１０、取り付け板。
１２、カバ−。
１３、検知管セット及び可動遮断マイクロスィッチ。
【図１】
2005122672.tif 000005
【図２】
2005122672.tif 000006